(57)【要約】【課題】画像光を遮蔽する内蔵シャッタが作動していることを使用者に告知するようにしたプロジェクタを提供する。【解決手段】プロジェクタ１０は、画像が付与された光をスクリーンに投映する投映レンズ１２と、遮閉位置と退避位置とに切り替え可能に設けられた切り欠き部１４ｂを有するシャッタ部材１４と、シャッタ部材１４が遮閉位置にあることを示すメッセージ画像を記憶したメモリと、シャッタ部材１４が遮閉位置にあるときはメッセージ画像を形成してメッセージ画像が付与された光を射出する画像形成部１６と、画像形成部１６に照明光を照射する光源部１７とを備える。シャッタ部材１４は画像形成部１６と投映レンズ１２との間に配置され、メッセージ画像が付与された光を切り欠き部１４ｂから透過させて投映レンズ１２によってスクリーンに投映し、スクリーン上にメッセージ画像を表示する。【選択図】図１
2009251095.tif 000002
【特許請求の範囲】
【請求項１】
画像が付与された光をスクリーンに投映して、前記スクリーン上に前記画像を表示するプロジェクタにおいて、
前記画像が付与された光をスクリーンに投映する投映レンズと、
前記画像が付与された光が前記投映レンズから射出されることを妨げる遮閉位置と妨げない退避位置とに切り替え可能に設けられるとともに、前記画像が付与された光の一部を透過させる透光部を有するシャッタ部材と、
前記シャッタ部材が前記遮閉位置にあることを示すメッセージ画像を記憶したメモリと、
前記シャッタ部材が前記遮閉位置にあるときは、前記メッセージ画像を形成して、前記メッセージ画像が付与された光を射出する画像形成部と、
前記画像形成部に照明光を照射する光源部と、
を備え、
前記シャッタ部材は、前記画像形成部と前記投映レンズとの間に配置され、前記遮閉位置にあるときには前記メッセージ画像が付与された光を前記透光部から透過させて前記投映レンズによって前記スクリーンに投映し、前記スクリーン上に前記メッセージ画像を表示することを特徴とするプロジェクタ。
【請求項２】
前記透光部は、前記シャッタ部材に設けられた切り欠き部であることを特徴とする請求項１記載のプロジェクタ。
【請求項３】
前記透光部は、前記シャッタ部材に設けられた開口であることを特徴とする請求項１記載のプロジェクタ。
【請求項４】
前記透光部は、透明な樹脂によって形成されたことを特徴とする請求項１記載のプロジェクタ。
【請求項５】
前記シャッタ部材は、前記メッセージ画像が付与された光も含め前記画像形成部から射出される光を完全に遮閉する完全遮閉位置に設定可能としたことを特徴とする請求項１ないし４のいずれかに記載のプロジェクタ。
【請求項６】
前記光源部は、前記シャッタ部材の前記遮閉位置への移動に連動して、前記画像形成部に向けて射出する光量を減少させることを特徴とする請求項１ないし５のいずれかに記載のプロジェクタ。
【発明の詳細な説明】
【技術分野】
【０００１】
本発明は液晶表示パネル等の画像形成装置に表示された画像をスクリーンに投映するプロジェクタに関する。
【背景技術】
【０００２】
近年、ＬＣＤやＤＭＤなどに表示される画像を光学系で拡大してスクリーンに投映するプロジェクタが普及している。例えば、下記特許文献１には、光伝導型液晶ライトバルブパネルを用いたカラー液晶プロジェクタが記載されている。これらのプロジェクタは、会議などでのプレゼンテーションに用いられことが多いが、会議中は常に使用されている訳ではなく、表示する画像が不要な場合や、表示されていない方が良い場合などがある。また、これらのプロジェクタは高輝度及び高解像度であることを要求されるため表示される画像は非常に明るく設定されており、このような非常に明るい光が必要のない場合にもスクリーンに向けて照射されることは、他の資料が見ずらくなるなどの悪影響があり好ましくない。しかし、こうした時に、一旦、プロジェクタの電源をオフにしてしまうと次に表示するときに時間がかかってしまう。また、点滅を繰り返すことで光源ランプの寿命が短くなってしまうなどの問題が生じる。下記特許文献２には、プレゼンテーションの休止中や表示の必要がない場合に、投映レンズに遮光カバー（シャッタ）を被せる装置が設けられたプロジェクタが提案されている。
【特許文献１】特開平０５−１５８０１２号公報
【特許文献２】特開２００４−１３８９８９号公報
【発明の開示】
【発明が解決しようとする課題】
【０００３】
上記特許文献２に記載されたシャッタはプロジェクタの外側に取付けられる構造であるから運搬時に壊し易く、また、シャッタの使用時には、投映レンズからの光を全て遮断してしまうので、シャッタを遮閉位置にしているのか、電源をオフにしてあるのか、が判別し難く、電源をオンにしようとして誤ってオフにしてしまうことがある。
【０００４】
本発明は上記問題を解決するために、投映レンズから射出される光を遮断するシャッタをプロジェクタの筐体内に組み込むとともに、前記シャッタが光を遮断する位置にあることを使用者に告知するようにしたプロジェクタを提供する。
【課題を解決するための手段】
【０００５】
本発明によるプロジェクタは、画像が付与された光をスクリーンに投映する投映レンズと、前記画像が付与された光が前記投映レンズから射出されることを妨げる遮閉位置と妨げない退避位置とに切り替え可能とされるとともに前記画像が付与された光の一部を透過させる透光部を有するシャッタ部材と、前記シャッタ部材が前記遮閉位置にあることを示すメッセージ画像を記憶したメモリと、前記シャッタ部材が前記遮閉位置にあるときは前記メッセージ画像を形成して前記メッセージ画像が付与された光を射出する画像形成部と、前記画像形成部に照明光を照射する光源部とを備える。
【０００６】
前記シャッタ部材は前記画像形成部と前記投映レンズとの間に配置され、前記遮閉位置にあるときには前記メッセージ画像が付与された光を前記透光部から透過させて前記投映レンズによって前記スクリーンに投映し、前記スクリーン上に前記メッセージ画像を表示する。前記透光部は、前記シャッタ部材に設けられた切り欠き部または開口である。あるいは、前記シャッタ部材を樹脂によって形成し、前記透光部を透明樹脂で透光部以外の部分を遮光性のある樹脂で形成する。前記シャッタ部材は、前記メッセージ画像が付与された光も含めて前記画像形成部から射出される光を完全に遮蔽する完全遮閉位置に設定されるようにしても良い。前記光源部は前記シャッタ部材の前記遮閉位置への移動に連動して射出する光量を減少させ省エネを図っても良い。
【発明の効果】
【０００７】
本発明によるプロジェクタは、投映レンズから射出される光を遮断するシャッタ部材がプロジェクタの筐体内に組み込まれているので、使用中や運搬中にシャッタ部材を壊してしまうことがなく、また、シャッタ部材を閉じるとメッセージが表示されるので、電源がオフになっているものと勘違いをして電源スイッチを操作し、誤ってオフにしてしまうことがない。
【発明を実施するための最良の形態】
【０００８】
図１に示すように、本発明のプロジェクタ１０は、投映レンズ１２、シャッタ部材１４、シャッタ駆動部１５、画像形成部１６、光源部１７、制御部１８を備える。筐体２０の上面には、ズームダイヤル２１、フォーカスダイヤル２２、光量調節ダイヤル２３、シャッタボタン２４が設けられている。光源部１７から射出された光は画像形成部１６で形成された画像が付与される。画像が付与された光（以下、画像光という。）は、投映レンズ１２によってスクリーン２５（図２参照）に投映され、拡大画像がスクリーン２５上に表示される。
【０００９】
投映レンズ１２は、例えば、フォーカスレンズ及び変倍レンズからなるズームレンズが用いられ、前記ズームダイヤル２１によって変倍レンズが移動して前記スクリーン２５上に表示される画像の大きさが調節される。また、フォーカスダイヤル２２を操作してフォーカスレンズを移動し前記スクリーン２５上に表示される画像のピント合わせが行われる。シャッタ部材１４は、画像形成部１６と投映レンズ１２との間に配置され、画像形成部１６から射出された画像光が投映レンズ１２に入射しないように画像光の光路上に挿入される遮閉位置と、画像光が投映レンズ１２に入射されることを妨げない退避位置との間で切り替え可能に設けられ、画像光を遮閉する遮光部１４ａには切り欠き部１４ｂが設けられている。シャッタ駆動部１５はシャッタボタン２４の押圧操作によって作動し前記シャッタ部材１４を前記遮閉位置と前記退避位置との間で交互に移動させる。
【００１０】
図２に示すように、光源部１７は、ランプ３１、反射鏡３２、ＵＶカットフィルタ３３、インテグレータ３４、リレーレンズ３５、コリメートレンズ３６、偏光板３７などから構成される。ランプ３１は、例えばキセノン管などの高輝度光源であって、特定の偏光方向を持たない白色光を発する。このランプ３１から発せられる白色光は、ＵＶカットフィルタ３３によって紫外線が除去された後にインテグレータ３４に入射する。コリメートレンズ３６は、インテグレータ３４から入射される光を光源光軸３０に平行な光に整え、偏光板３７へと入射させる。光源部１７は周知技術であるため、これらの部材の詳細説明は省略する。
【００１１】
画像形成部１６は、光源部１７から発せられる白色光を赤色光、緑色光、青色光に分解して、それぞれの色ごとに投映像の情報を持つ情報光に変換し、各情報光を合成してフルカラーの画像光を形成し投映レンズ１２に入射させる。ダイクロイックミラー４０，４１、ミラー４２、クロスダイクロイックプリズム４３、偏光ビームスプリッタ４４ｒ，４４ｇ，４４ｂ、反射表示素子４５、位相差補償素子４６ｒ，４６ｇ，４６ｂなどから構成され、光源部１７から射出された白色光は、Ｒ光を反射しＢ光，Ｇ光を透過するダイクロイックミラー４０とＧ光を反射しＢ光を透過するダイクロイックミラー４１とによってＲＧＢの３つの光成分に分解された後に、Ｒ光用，Ｇ光用，Ｂ光用のそれぞれの偏光ビームスプリッタ４４ｒ，４４ｇ，４４ｂへ導かれる。例えば偏光ビームスプリッタ４４ｒは、２つのプリズム４４ａ，４４ｂとその間に挟持された偏光分離層４４ｃとから構成され、入射した光を反射して反射表示素子４５に導く。反射表示素子４５は、例えば、反射型の液晶パネルであり前記制御部１８によって制御される。反射表示素子４５で反射した光は反射表示素子４５に表示された映像などの情報が付与され画像光となる。画像光は再び偏光ビームスプリッタ４４ｒ，４４ｇ，４４ｂに入射し透過してクロスダイクロイックプリズム４３へと導かれる。こうしてダイクロイックミラー４０，４１によって分解されたＲＧＢの３つの光成分は、反射表示素子４５によってそれぞれの色の画像情報が付与され、クロスダイクロイックプリズム４３で１つの画像光として合成される。反射表示素子４５を構成する液晶パネルの制御や、ダイクロイックミラー４０，４１、クロスダイクロイックプリズム４３、偏光ビームスプリッタ４４ｒ，４４ｇ，４４ｂの作用など、前記画像形成部１６を構成するこれらの部材は周知技術であるため、これ以上の詳細説明は省略する。
【００１２】
制御部１８は、プロジェクタ１０の電気的な動作を担う制御回路５０やメモリ５１、あるいは図示しないが投映レンズ１２用の駆動モータなどを備える。例えば、制御回路５０はプロジェクタ１０に接続されるコンピュータなどから受信する映像などを画像形成部１６の表示素子に表示する。また、前記駆動モータは、ズームダイヤル２１、光量調節ダイヤル２３の操作信号を受けて変倍レンズやフォーカスレンズを駆動し、フォーカスダイヤル２２の操作信号を受けて絞り径を変更する。メモリ５１には、前記シャッタ部材１４が
前記遮閉位置にあることを示すメッセージ画像「ＳＨＵＴＴＥＲ  ＣＬＯＳＥ」が記憶されている。
【００１３】
次に、上記実施形態の作用について説明する。図３に示すように、シャッタ部材１４が退避位置にあるときは画像光はシャッタ部材１４の遮光部１４ａによって遮られることはなく、画像光の全てが前記投映レンズ１２によって前記スクリーン２５に投写され、スクリーン２５に全画像が投映される（図４参照）。図５に示すように、前記シャッタボタン２４が押圧操作されると、前記シャッタ部材１４が退避位置から遮閉位置に移動し、シャッタ駆動部１５に設けられたセンサ５５によって検知され、シャッタ部材１４が遮閉位置にあることを示すシャッタ閉じ信号が制御回路５０に伝達される。シャッタ閉じ信号を受信した制御回路５０は、それまで前記反射表示素子４５に表示していた画像の表示を休止し、メモリ５１からメッセージ画像を読み出して前記反射表示素子４５に表示するとともに、ランプ３１の印加電圧を低くしてランプ３１の発光量を低減する。前記センサ５５は、例えば、発光ダイオードとフォトトランジスタを配置してその間に置かれた物体の有無を検知する物体検知センサである。
【００１４】
前記反射表示素子４５に表示された前記メッセージ画像は、画像形成部１６から射出される。遮閉位置にあるシャッタ部材１４は前記メッセージ画像が付与された光の部分のみを透過させる切り欠き部１４ｂが設けられている。前記画像形成部１６から射出された前記メッセージ画像が付与された光は前記切り欠き部１４ｂを透過して前記投映レンズ１２に入射し、投映レンズ１２によって前記スクリーン２５に投映され、前記スクリーン２５にメッセージ画像「ＳＨＵＴＴＥＲ  ＣＬＯＳＥ」を表示する（図６参照）。
【００１５】
前記実施形態は、シャッタ部材１４の遮光部１４ａに切り欠き部１４ｂを設け、切り欠き部１４ｂよりメッセージ画像が付与された光を透過させたが、図７に示すように、切り欠き部１４ｂの代わりに開口１４ｃを設けても良い。あるいは、シャッタ部材１４全体を遮光性を有する樹脂で形成し、開口１４ｃの部分のみ透明樹脂で形成するようにしても良い。
【００１６】
前記実施形態は、シャッタ部材１４を退避位置と遮閉位置との間で切り替えるように構成したが、シャッタ部材１４の停止位置を３段階として、退避位置と遮閉位置に完全遮閉位置を設けても良い。図８に示すように、シャッタ部材１４は遮閉位置より更に回動した位置に完全遮閉位置を設ける。完全遮閉位置では遮光部１４ａによって前記メッセージ画像が付与された光でさえも遮蔽され、前記画像形成部１６から射出される光は完全に遮蔽される。
【００１７】
前記実施形態は、前記シャッタ部材１４が遮閉位置にセットされたことを検知して、ランプ３１の印加電圧を低くしランプ３１の発光量を少なくして、メッセージ画像が表示される輝度を通常より低くしたが、ランプ３１の発光量を少なくするのではなく、例えば、投映レンズ１２に組込まれた絞りを絞って、投映レンズ１２から射出される光の輝度が低くなるようにすることも可能である。
【００１８】
前記実施形態は、画像表示パネルとして反射型の液晶パネルを用いた例で説明したが、ＤＭＤを備えたものであっても良い。また、１枚の画像表示パネルを備えた単板式であってもよい。
【図面の簡単な説明】
【００１９】
【図１】本発明を実施したプロジェクタの構成を示す斜視図である。
【図２】プロジェクタの構成を示す模式図である。
【図３】画像表示時のシャッタ部材と画像光の位置関係を示す図である。
【図４】スクリーン上の画像光に対するシャッタ部材の位置関係を示す図である。
【図５】遮閉位置におけるシャッタ部材と画像光の位置関係を示す図である。
【図６】スクリーン上のメッセージ画像の位置関係を示す図である。
【図７】投光部を開口で構成した別の実施形態を示す図である。
【図８】完全遮閉位置を設定可能とした別の実施形態を示す図である。
【符号の説明】
【００２０】
１０  プロジェクタ
１２  投映レンズ
１４  シャッタ部材
１４ａ  遮光部
１４ｂ  切り欠き部
１４ｃ  開口
１５  シャッタ駆動部
１６  画像形成部
１７  光源部
１８  制御部
２０  筐体
２１  ズームダイヤル
２２  フォーカスダイヤル
２３  光量調節ダイヤル
２４  シャッタボタン
２５  スクリーン
３１  ランプ
４５  反射表示素子
５０  制御回路
５１  メモリ
【図１】
2009251095.tif 000003
【図２】
2009251095.tif 000004
【図３】
2009251095.tif 000005
【図４】
2009251095.tif 000006
【図５】
2009251095.tif 000007
【図６】
2009251095.tif 000008
【図７】
2009251095.tif 000009
【図８】
2009251095.tif 000010